(57)【要約】本発明は、摺動建具を支持し、スライディング開閉作用を提供するローラー装置のスライディング移動をガイドするドアガイドフレームに対するものであって、より詳しくは、スライディング窓をスライディング窓が設置される底面及び上部面でスライディング窓を安定的に支持し、移動させることができ、高荷重のスライディング窓を支持するローラー装置及びドアガイドフレームの規格を最小化させて、その設置空間を最小化することができ、これで窓に適用される場合にはより広く開放された視野の確保を可能にし、垂直補強材を備えた状態でスライディング窓を一体にドアガイドフレーム内に設置施工または分離することができるようにする構造の摺動建具設置構造に関するものである。
2015516036.tif 000002
【特許請求の範囲】
【請求項１】
摺動建具システムを構成するスライディング窓の視野が縮小される現象が最小化するようにスライディング窓を形成するガラスを支持する別途の４辺型ドアサッシュ無しでローラー部材の上にガラスを分離可能な状態で安置して支持し、このようなスライディング窓のスライディング移動をガイドする窓枠部材に使われる上部及び下部のドアガイドフレームに各々上部ポケットガイド及び下部ポケットガイドを形成してスライディング窓の上端部と下端部を建具の内外側両面でガイドするようにすることで、スライディング窓の円滑な移動を支持する構造であって、
ローラーにより支持されるガラスを含んでなるスライディング窓を構成するガラスの両側面にガラスの横方向撓み剛性を補完するための拡大断面を有する垂直補強材を接合させ、そして、
前記垂直補強材を備えた状態のスライディング窓を一体にドアガイドフレーム内に設置施工できるようにしながら垂直補強材を備えた状態でスライディング窓をドアガイドフレームから分離できるようにするために、
スライディング窓が挿入される方向の開口部が前記垂直補強材の断面厚さより広いサイズの開口部を有するドアガイドフレーム本体部のベース面上に設置されたローラーガイドレールの進行方向と平行に、前記垂直補強材の端部で断面厚さが縮小されて形成される補強材狭段部をスライディング窓の内外側両面でガイド支持するポケットガイドをドアガイドフレーム本体部から分離して設置し、かつ、
前記ポケットガイドは、ドアガイドフレーム本体部から着脱可能なポケットガイドセグメントに形成されて、そして、前記ローラーガイドレールの進行方向に沿ってスライディング窓の内外側両面で前記ポケットガイドセグメントが相互分離可能に連続設置されることを特徴とする分離着脱可能なセグメント構造のドアガイドフレームを含んでなることを特徴とする、分離着脱可能なセグメント構造のドアガイドフレームを含む摺動建具設置構造。
【請求項２】
スライディング窓の内外側でポケットガイドに提供される前記ポケットガイドセグメントは、ドアガイドフレームの上部構造と下部構造のうち、いずれか１つ以上の構造に提供されることを特徴とする、請求項１に記載の分離着脱可能なセグメント構造のドアガイドフレームを含む摺動建具設置構造。
【請求項３】
前記ポケットガイドセグメントは、前記ローラーガイドレールの全長で２つ以上のセグメントに分割形成され、最小１つ以上のセグメントはスライディング窓が前記ローラーガイドレール上のローラーの上に安置されて設置された状態でドアガイドフレーム本体部から除去可能な長さを有するように形成され、そして、
前記ポケットガイドセグメントの長さは、前記スライディング窓の両側面に付着設置された前記垂直補強材の間の内部間隔より小さいように形成されることを特徴とする、請求項２に記載の分離着脱可能なセグメント構造のドアガイドフレームを含む摺動建具設置構造。
【請求項４】
前記摺動建具システムのホコリ流入防止性能、水密性、及び気密性の向上のために、
ポケットガイドに提供される前記ポケットガイドセグメントとスライディング窓の相互対向面にはモヘアまたは弾性ガスケットのような遮断部材が水平長手方向に設置されることを特徴とする、請求項３に記載の分離着脱可能なセグメント構造のドアガイドフレームを含む摺動建具設置構造。
【請求項５】
前記遮断部材に提供される弾性ガスケットは、
スライディング窓に固定される固定端と、そしてポケットガイドに提供される前記ポケットガイドセグメントの開放面に接触して外側に弾性変形される弾性変形端を備えたものが使われることを特徴とする、請求項４に記載の分離着脱可能なセグメント構造のドアガイドフレームを含む摺動建具設置構造。
【請求項６】
前記ポケットガイドをドアガイドフレーム本体部のベース面に分離可能に設置するために、
ローラーガイドレールが中心部に提供される前記ベース面の外側に前記ローラーガイドレールの進行方向に沿って隔壁を突出成形して、前記ドアガイドフレーム本体部の外壁と前記隔壁との間に前記ポケットガイドが挿入設置できる収容部が形成されることを特徴とする、請求項１から５のうち、いずれか一項に記載の分離着脱可能なセグメント構造のドアガイドフレームを含む摺動建具設置構造。
【請求項７】
摺動建具システムの建具開放性向上及び断熱性能向上のために、
スライディング窓が閉じる場合に、前記スライディング窓を構成する前記垂直補強材が挿入隠蔽されるように前記ドアガイドフレームを形成する垂直ガイドフレームの内側に垂直補強材挿入チャンネルが提供され、そして、
前記垂直補強材挿入チャンネルが提供される垂直ガイドフレームの端部には前記垂直補強材との離隔間隔を封入遮断するように垂直方向の弾性ガスケットが提供されることを特徴とする、請求項１から５のうち、いずれか一項に記載の分離着脱可能なセグメント構造のドアガイドフレームを含む摺動建具設置構造。
【請求項８】
建具内外側に前記ドアガイドフレーム本体部から着脱可能に設置される下部ポケットガイドの間の開口部の幅は前記垂直補強材を備えたガラスの下端部とローラーの転倒が発生してもガラスの下端部の底面とローラーの上端部の上面とが接触して支持する地点が下部のローラーガイドレールの垂直中心線（Ｃ．Ｌ．）を超えないように範囲が設定されることを特徴とする、請求項１から５のうち、いずれか一項に記載の分離着脱可能なセグメント構造のドアガイドフレームを含む摺動建具設置構造。
【請求項９】
前記スライディング窓を構成するガラスの下端部の底面とローラーの上端部の上面とが接触して支持する地点の滑り防止のために、前記ローラーの支持ブラケットの上端部にガラス下端部支持係止段が提供されることを特徴とする、請求項１から５のうち、いずれか一項に記載の分離着脱可能なセグメント構造のドアガイドフレームを含む摺動建具設置構造。
【請求項１０】
前記スライディング窓を構成するガラスの下端部の底面を支持し、ローラーガイドレールに沿ってスライディングさせるローラー部材として環状ローラー装置が使われ、そして、前記環状ローラー装置は、
スライディング窓を構成するガラスの下端部が収容できるように中央上部に支持ブラケットに形成されるガラス安着部と、
前記ガラス安着部から両側下方に延長形成された隔壁を両側に延長して一体形成され、周りにレールの進行方向に沿って形成される案内レールを備える荷重支持板と、
レール進行方向に垂直になるように横方向に寝かせた円筒形に形成され、それぞれの円筒形部材の外周面にレール進行方向に沿って形成される案内溝を含んでなる複数個のローリング部材と、
前記複数個のローリング部材がドア進行方向に沿って互いに設定間隔を置いて前記荷重支持板の表面に輪型に均等に配置されるように前記複数個のローリング部材を互いに連結させるチェーンリンクユニットを含んでなるものであって、前記ガラス安着部の両側の前記荷重支持板の上部面と下部面及びこれらを連結するようにレール進行方向側に形成される両端の円弧面の周りに巻かれて提供される環状ローリングユニットを含んでなることを特徴とする、請求項１から５のうち、いずれか一項に記載の分離着脱可能なセグメント構造のドアガイドフレームを含む摺動建具設置構造。
【請求項１１】
前記スライディング窓を構成するガラスの下端部の底面と環状ローラー装置の上端部の上面とが接触して支持する地点の滑り防止のために、前記ガラス安着部にガラス下端部支持係止段が提供されることを特徴とする、請求項１０に記載の分離着脱可能なセグメント構造のドアガイドフレームを含む摺動建具設置構造。
【請求項１２】
前記ドアガイドフレームを建具内外側に分割形成し、中間に熱橋遮断材を配置することを特徴とする、請求項１から５のうち、いずれか一項に記載の分離着脱可能なセグメント構造のドアガイドフレームを含む摺動建具設置構造。
【請求項１３】
前記ドアガイドフレームのベース面にはローラーの規格と形式に合せて変更設置可能なローラーガイドレールを挿入設置することができるレール設置溝を形成したことを特徴とする、請求項１から５のうち、いずれか一項に記載の分離着脱可能なセグメント構造のドアガイドフレームを含む摺動建具設置構造。
【請求項１４】
前記垂直補強材に鋼鉄補強板が挿入設置されることを特徴とする、請求項１から５のうち、いずれか一項に記載の分離着脱可能なセグメント構造のドアガイドフレームを含む摺動建具設置構造。
【請求項１５】
前記ポケットガイドセグメントが前記ドアガイドフレーム本体部に分離可能に設置されるドアガイドフレームの下部構造が建物の底面に埋め立てられるように形成されることを特徴とする、請求項１から５のうち、いずれか一項に記載の分離着脱可能なセグメント構造のドアガイドフレームを含む摺動建具設置構造。
【発明の詳細な説明】
【技術分野】
【０００１】
本発明は摺動建具を支持し、スライディング開閉作用を提供するローラー装置のスライディング移動をガイドするドアガイドフレームに対するものであって、より詳しくは、引き戸窓または大型引き違い窓（以下、通称して‘スライディング窓’と称する）をスライディング窓が設置される底面及び上部面でスライディング窓を安定的に支持し移動させることができ、高荷重のスライディング窓を支持するローラー装置及びドアガイドフレームの規格を最小化させて、その設置空間を最小化することができ、これで窓に適用される場合には、より広く開放された視野の確保が可能であり、延いてはドアガイドレールが窓枠の底面から上部に突出する現象をなくすことができる構造が採択できることによって、良好な美観を提供し、かつ建具開放時に移動通路上に突出するドアガイドレールによる通行障害が発生しないようにすることによって、多様な分野で優れる適用性を提供することができる構造の摺動建具設置構造に関するものである。
【背景技術】
【０００２】
一般に、開閉空間の効率性と施工の便宜性など、コスト低減の次元から多くの建築物で建具システムに最も一般的に使われる摺動建具システムを構成するドアサッシュ（内部にガラス窓などが設置できる；以下、ガラス窓が設置されたドア、即ちウィンドウを中心として説明する）とドアガイドフレーム（建物壁面、底面、天井面などに設置されて内部にドアサッシュがスライディングガイドされて開閉されるように設置される）の一般的構成によれば、図１及び図２に示すように、ドアガイドフレーム１（‘窓枠フレーム’と称する）にローラーガイドレール１ａが提供され、そしてガラス４ｇが嵌められるドアサッシュ４ａ、４ｂの下部に設置されるローラー４ｒを備えて上記ローラーガイドレール１ａに沿ってスライディングされるスライディング窓４が提供される構造を有する。
【０００３】
このような構造では、下部ドアサッシュ４ａの下のローラー４ｒがローラーガイドレール１ａ上でスライディング窓４の荷重を支持しスライディングし、上部ドアサッシュ４ｂの上部のスライディングガイド溝は窓枠１の上部面に設置された上部ガイドレール１ｂに沿って進行しながらスライディング窓４の上端部を支持しながらスライディング窓４の転倒を防止しながら円滑なスライディング移動開閉がなされる構造を有している。
【０００４】
上記した図１及び図２に図示された従来の一般的な構造の摺動建具システムでは、ガラス４ｇを支持するドアサッシュ４ａ、４ｂがガラス４ｇの４辺を支持する構造を有しているので、ドアサッシュ４ａ、４ｂによる干渉のため、広い視野の確保が可能でないので、これに対する代案的な構造として、最近には図３に示すように、ガラス４ｇを上下左右４辺で支持する別途のドアサッシュ無しでローラー４ｒ部材の上に直接ガラス４ｇを上げてスライディング窓４を構成し、スライディング窓４の下部では窓枠に該当するドアガイドフレーム１の下部にローラーガイドレール１ａを形成してスライディング窓４の下部のローラー４ｒがローラーガイドレール１ａ上でスライディング窓４の荷重を支持しながらスライディングするようにし、そしてスライディング窓４の上部では窓枠に該当するドアガイドフレーム１の上部１ｂにレール進行方向に沿って下方に開口部が形成された上部ポケットガイド１ｄを形成して、スライディング窓４の上端部が上部ポケットガイド１ｄの内部に収容された状態でスライディング窓４の上端部の内外側両面（前面及び背面／内面及び外面）をスライディングガイドするようにすることで、スライディング窓の円滑な移動を支持する構造を採択することによって、前述した図１及び図２に図示されたドアサッシュ４ａ、４ｂによってスライディング窓４の視野が縮小される現象が最小化するようにしている。
【０００５】
しかしながら、このようにドアサッシュ無しでガラス４ｇのみを使用してスライディング窓４を作る時、ガラス４ｇと、ガラス下部のローラー４ｒと、そして、その下部のローラーガイドレール１ａが連続支持される下部支持構造を見ると、図３の右側に示すように、窓の外部から風圧（Ｗ）が作用する場合には、スライディング窓４を構成するガラス４ｇとドアガイドフレーム１の上端部１ｂにポケット形態に提供される上部ポケットガイド１ｄがガラス４ｇに作用する風圧にもこれを支持することができる構造を有する一方、 スライディング窓４を構成するガラス４ｇとその下部のローラー４ｒ、及びローラーガイドレール１ａの間には風圧のような横方向の力に抵抗することができる別途の構造が提供されないので、ローラー４ｒとガラス４ｇの下部が風圧により建具の一側に転倒される（倒れる）現象が発生する問題点を有する。
【０００６】
このような問題点を解決するための方案として、窓枠を形成するドアガイドフレーム１の下部構造を改善してドアガイドフレーム１の上端部１ｂに形成されるポケット型の上部ポケットガイド１ｄと対称する形状を有する下部ポケットガイド１ｃをドアガイドフレーム１の下部に提供する方案が採択可能であるが、即ち図４に示すように、スライディング窓４を構成するガラス４ｇの下端部を建具の内外側両面（前面及び背面／内面及び外面）でスライディングガイドするようにレール進行方向に沿って上方に開口部が形成された下部ポケットガイド１ｃが提供される場合には、ガラス４ｇの下端部とこれを支持するローラー４ｒがローラーガイドレール１ａ上で転倒できるようにする強い風圧が作用しても、下部ポケットガイド１ｃはガラス４ｇの下端部の回転（転倒）変位が一定範囲を超過しないように統制するようになり、これで、ガラス４ｇの自重によりガラス４ｇの下端部とこれを支持するローラー４ｒがまた垂直状態を維持するようにする復原力が作用するようになって、ローラー４ｒをまた正姿勢に起こして元の位置に復帰するようになる。
【０００７】
一方、図４ではガラス４ｇの下端部の底面とローラー４ｒの上端部の上面とが接触して支持する地点がローラー４ｒを支持するローラーガイドレール１ａの垂直中心線（Ｃ．Ｌ．）を超えない状態を図示しているが（正圧と負圧が同一であるという条件の場合には、図４の図面符号“ｄ１”部分と“ｄ２”部分が同一であるように設定可能であるが、圧力条件によって図面符号“ｄ１”部分と“ｄ２”部分が互いに相異するように設定することも可能である）、これとは異なり、過度な転倒が発生してガラス４ｇの下端部の底面とローラー４ｒの上端部の上面とが接触して支持する地点（図４の図面符号‘ｋ１’）が下部転がりレール１ａの垂直中心線（Ｃ．Ｌ．）を超える場合には上記のような復元作用を期待できなくなり、このような場合にはガラス４ｇと下部ポケットガイド１ｃの一側面が相互接触した状態でスライディング窓４のスライディングがなされて、これで摩擦騷音が発生するだけでなく、走行性がひどく壊されるようになる。
【０００８】
したがって、下部ポケットガイド１ｃの開口部の幅はガラス４ｇの下端部とローラー４ｒの転倒が発生してもガラス４ｇの下端部の底面とローラー４ｒの上端部の上面とが接触して支持する地点（図４の図面符号‘ｋ１’）が下部転がりレール１ａの垂直中心線（Ｃ．Ｌ．）を超えないように、その範囲が設定されなければならない。
【０００９】
一方、図４に図示されたガラス４ｇの下端部の底面とローラー４ｒの上端部の上面とが接触して支持する地点（図４の図面符号‘ｋ１’）自体がローラー４ｒの上端部の上面で滑る現象が発生する場合を仮定することができるが、もし、このような現象が発生すれば、前述した下部ポケットガイド１ｃの開口部の幅に対する制御だけでは満足な転倒防止効果が期待できないので、図５に示すように、ガラス４ｇの下端部の底面とローラー４ｒの上端部の上面とが接触して支持する地点（図５の図面符号‘ｋ２’）の滑り防止のためにローラー４ｒの支持ブラケットの上端部にガラス下端部支持係止段４ｃを提供することが好ましい。
【００１０】
前述した構造に従う摺動建具の場合には、一定水準位の風圧に対してはガラス及びローラーの転倒を防止しながら安定したスライディング支持が可能であるが、摺動建具システムを正面で図示した図６と、そして図６のＡ−Ａ’線の断面を図示した図７に示すように、スライディング窓を大型化する場合には、ガラス４ｇの垂直方向長さ（高さ）が高まるので、強い風圧条件でガラス４ｇ自体の剛性だけでガラス４ｇの横方向撓み変形を支えることに限界状況が発生し、強い風（風圧）によってガラス４ｇの垂直線を基準にした横方向撓み変形程度がその降伏点を超過する場合が発生することがあり、このような場合にはガラスの破損が発生する虞が高いという問題点がある。
【００１１】
このような問題点を解決するためには、図８に示すように、ローラー４３により支持されるガラス４１を含んでなされるスライディング窓４０を構成し、かつガラス４１の側面に別途の垂直補強材４２を剛接合させることによって、ガラス４１の横方向撓み変形を制御できる別途の付加的な手段を設置する改善された構造を採択することが好ましいが、このような垂直補強材４２は前述したガラス４ｇ自体のみを備えた場合と対比して、高い剛性を発揮するために提供されるものであって、最も好ましくは、ガラス４１の厚さと同一な厚さを有し、かつ高い撓み剛性を発揮する素材で作られた補強材４２をガラス４１の側面に剛接合して使用することが下部支持構造の単純化に助けになるが、一般的には使われる建築材料の材質上の剛性限界によって、図８に示すように、垂直補強材４２の厚さ（ｂ３）がガラス４１の厚さ（ｂ１）より厚い構造を有するようになる。一方、そのような垂直補強材４２の下端部はスライディング窓４０のローラー４３を支持するローラーガイドレール１１を備えた下部のドアガイドフレーム１０に提供される下部ポケットガイド１３の開口部の幅（ｂ２）に挿入できるように、その厚さ（ｂ４）が減少する補強材狭段部４２ａで形成され、その垂直補強材４２の上端部もスライディング窓４０の窓枠を構成する上部のドアガイドフレーム１０に下方に開口部が提供される上部ポケットガイド１４の開口部の幅（ｂ２）に挿入できるように、その厚さ（ｂ４）が減少する補強材狭段部４２ａからなることが当然であるが、このような場合に、図９の断面図に示すように、厚さが減少した補強材狭段部４２ａの高さとドアガイドフレーム１０の下部及び上部に各々提供された下部ポケットガイド１３及び上部ポケットガイド１４の高さの間に一定な離隔距離（図９の図面符号（ｅ）、（ｅ’））が確保されるようにすることによって、スライディング窓４０の円滑な移動が可能になるが、このような離隔距離（ｅ, ｅ’）が大きいほど風圧に抵抗する抵抗力が弱まる問題点が発生する。
【００１２】
また、垂直補強材４２の厚さ（ｂ３）が下部ポケットガイド１３及び上部ポケットガイド１４の開口部の幅（ｂ２）より大きい場合には、たとえ補強材狭段部４２ａの厚さ（ｂ４）が 下部ポケットガイド１３及び上部ポケットガイド１４の開口部の幅（ｂ２）に挿入できるように減少するようにしなければならない。
【００１３】
勿論、このような場合でも、スライディング窓４０の上部の補強材狭段部４２ａの下端とドアガイドフレーム１０の上部に提供された上部ポケットガイド１４の外側下端の間の離隔距離（ｅ’）と上部ポケットガイド１４の内側上端とスライディング窓４０の上端との間の離隔距離（ｇ’）のうち、最小値（Ｍｉｎ（ｅ’、ｇ’）、図１０の図面符号（ｈ）で表す）が下部ポケットガイド１３の内部に挿入されたガラス４１の深さ（図１２の図面符号（ｆ））より大きい場合、（ｈ＝Ｍｉｎ（ｅ’、  ｇ’）＞ｆ）という更に他の条件を満たす時、スライディング窓４０を図１０に示すように上部に持ち上げれば、図１１に示すように補強材狭段部４２ａの下端が下部ポケットガイド１３の開口部を抜けるので、垂直補強材４２がガラス４１と一体化した状態でスライディング窓４０の脱・付着作業が可能になる。但し、ここでスライディング窓４０を完全に持ち上げる時に得ることができる上向き移動変位を十分に確保することができるようにするためには、スライディング窓４０の上部の補強材狭段部４２ａの下端とドアガイドフレーム１０の上部に提供された上部ポケットガイド１４の外側下端との間の離隔距離（ｅ’）が上部ポケットガイド１４の内側上端とスライディング窓４０の上端との間の離隔距離（ｇ’）より大きく設定される構造を有することが好ましい。
【００１４】
これとは異なり、図１２に示すように、スライディング窓４０の上部の補強材狭段部４２ａの下端とドアガイドフレーム１０の上部に提供された上部ポケットガイド１４の外側下端との間の離隔距離（ｅ’）と上部ポケットガイド１４の内側上端とスライディング窓４０の上端との間の離隔距離（ｇ’）のうち、最小値（Ｍｉｎ（ｅ’、ｇ’）、図１２の図面符号（ｈ）で表す）が下部ポケットガイド１３の内部に挿入されたガラス４１の深さ（図１２の図面符号（ｆ））より小さい場合（ｈ＝Ｍｉｎ（ｅ’、ｇ’）＜ｆ）であれば、スライディング窓４０を完全に持ち上げる時に得ることができる上向き移動変位を十分に確保できなくなって、下部ポケットガイド１３の上端突出部との干渉によって補強材狭段部４２ａの下端が下部ポケットガイド１３の開口部を抜けることができなくなって、スライディング窓４０を持ち上げて下端部が下部ポケットガイド１３を抜けるように下端部を回転させる方式ではスライディング窓４０の脱・付着が不能になる問題点が発生する。今まで図９から図１１を通じてスライディング窓４０を持ち上げて脱・付着させる場合を説明したが、反対に、スライディング窓４０の下部のローラー４３を分離し、スライディング窓４０を下部に降りてスライディング窓４０の上端部が上部ポケットガイド１４を抜けるようにした状態で上端部を回転させる方式ではスライディング窓４０を脱・付着できる条件と、そして、このような脱・付着が不能になる条件も別途に存在するが、言及した場合と対称的に類似な関係にあるので、重複説明は省略し、重複説明により省略された事項は当業者であれば誰も容易に理解して推論することができる。
【００１５】
前述したように、垂直補強材４２をガラス４１の側面に剛接合して形成されるスライディング窓４０のドアガイドフレーム１０への脱・付着が不能になる条件に該当する場合が発生することがあり、このような場合には、図１２に示すように、垂直補強材４２のガラス４１との接合はガラス４１を上部ポケットガイド及び下部ポケットガイド１３に挿入して設置した後、現場施工方式により垂直補強材４２を接合しなければならない不便性が発生するようになり、一旦、施工が完了すれば、垂直補強材４２をまたガラス４１から分離するか、またはガラス４１を破損しなければスライディング窓４０をドアガイドフレーム１０から分離することもできなくなる問題点が発生する。
【００１６】
一方、このような垂直補強材４２の現場施工の不便性が発生せず、垂直補強材４２を備えたスライディング窓４０の工場生産を可能にし、また施工の以後には垂直補強材４２を備えたスライディング窓４０の分離が不能になる問題点が発生しないようにするためには、補強材狭段部４２ａの上端とドアガイドフレーム１０の下端部に提供された下部ポケットガイド１３の上端との間の離隔距離（ｅ）を十分に確保しなければならないが、この場合には過度な離隔距離（ｅ）による風圧に対する構造的な不安定性をもたらし、延いては気密性において非常に不利な短所がある。
【００１７】
また、従来の一般的な摺動建具の設置構造を見ると、スライディング窓を支持する窓枠を構成する下部のドアガイドフレームが建物の底面が施工された以後に、その上部に設置される通常の設置構造を有しているが、このような設置構造の場合には、ドアガイドフレーム及びそれに含まれるローラーガイドレールが底面上部に突出して美観上でもよくないだけでなく、歩行者やこれを渡る移動物体に対して係止段となって、場合によっては、スライディングドア自体の設置を放棄しなければならない場合が発生する問題点もある。
【００１８】
そして、建物の室内の内部と外部テラスを連結する部分を全面開放して施工し、その全面に建具を設置する場合に、従来技術に従うスライディングドア用ローラー及びその支持構造を使用する場合には、大きい規模の摺動建具の具現が困難であるので、フォールディングドアなどにより施工する場合が多いが、フォールディングドアの場合に、フォールディング空間が必要であるので、建物底面の活用度が低くなる問題点がある。
【発明の概要】
【発明が解決しようとする課題】
【００１９】
本発明は従来技術に対する問題点を解決するためのものであって、本発明の技術的課題は摺動建具システムを構成するスライディング窓の視野が縮小される現象が最小化するようにスライディング窓を形成するガラスを支持する別途の４辺型ドアサッシュ無しでローラー部材の上に直接ガラスを上げて支持し、このようなスライディング窓のスライディング移動をガイドする窓枠部材に使われる上部及び下部のドアガイドフレームに各々上部ポケットガイド及び下部ポケットガイドを形成してスライディング窓の上端部と下端部を建具の内外側両面（前面と背面／内面と外面）でガイドするようにすることで、スライディング窓の円滑な移動を支持する構造を採択するに当たって、ローラーにより支持されるガラスを含んでなるスライディング窓を構成するガラスの両側面にガラスの横方向撓み剛性を補完するための拡大断面（ガラスより厚い厚さを有する断面）を有する垂直補強材を剛接合させ、このような垂直補強材を備えた状態のスライディング窓を一体にドアガイドフレーム内に設置施工できるようにして、工場生産を可能にし、そして、施工の以後にも垂直補強材を備えたスライディング窓の分離を可能にするための技術的手段を提供するものである。
【００２０】
また、前述した技術的課題を達成するに当たって、摺動建具システムの水密性、気密性、及び断熱性能の向上を図ることができる技術的手段も同時に提供しようとする。
【００２１】
延いては、本発明の更に他の技術的課題は、摺動建具の設置構造としてより広い視野の確保のために窓枠の下部が建物の底面に位置する構造を採択する場合に、建物の底面の上部にドアガイドフレーム及びローラーガイドレールが突出しない摺動建具の設置構造を提供することにある。
【課題を解決するための手段】
【００２２】
本発明は、前述した技術的課題を解決するために、摺動建具システムを構成するスライディング窓の視野が縮小される現象が最小化するように、スライディング窓を形成するガラスを支持する別途の４辺型ドアサッシュ無しでローラー部材の上にガラス（例えば、ペアガラス）を分離可能な状態で安置して支持し、このようなスライディング窓のスライディング移動をガイドする窓枠部材に使われる上部及び下部のドアガイドフレームに各々上部ポケットガイド及び下部ポケットガイドを形成してスライディング窓の上端部と下端部を建具の内外側両面（前面と背面／内面と外面）でガイドするようにすることで、スライディング窓の円滑な移動を支持する構造において、ローラーにより支持されるガラスを含んでなるスライディング窓を構成するガラスの両側面にガラスの横方向撓み剛性を補完するための拡大断面（ガラスより厚い厚さを有する断面）を有する垂直補強材を接合させ、そして、上記垂直補強材を備えた状態のスライディング窓を一体にドアガイドフレーム内に設置施工できるようにしながら垂直補強材を備えた状態でスライディング窓をドアガイドフレームから分離できるようにするために、スライディング窓が挿入される方向の開口部が上記垂直補強材の断面厚さより広いサイズの開口部を有するドアガイドフレーム本体部のベース面上に設置されたローラーガイドレールの進行方向と平行に、上記垂直補強材の端部で断面の厚さが縮小されて形成される補強材狭段部をスライディング窓の内外側両面（前面と背面／内面と外面）でガイド支持するポケットガイドをドアガイドフレーム本体部から分離して設置し、かつ上記ポケットガイドはドアガイドフレーム本体部から着脱可能なポケットガイドセグメントに形成され、そして、上記ローラーガイドレールの進行方向に沿ってスライディング窓の内外側両面で上記ポケットガイドセグメントが相互分離可能に連続設置されることを特徴とする、分離着脱可能なセグメント構造のドアガイドフレームを含む摺動建具設置構造を提供する。
【００２３】
そして、スライディング窓の内外側でポケットガイドに提供される上記ポケットガイドセグメントは、ドアガイドフレームの上部構造と下部構造のうち、いずれか１つ以上の構造に提供されることが好ましく、ドアガイドフレームの上部構造と下部構造の全てに提供される場合には、スライディング窓の設置及び分離作業方向の多様性が提供できる。
【００２４】
ここで、上記ポケットガイドセグメントは上記ローラーガイドレールの全長で２つ以上のセグメントに分割形成され、最小１つ以上のセグメントはスライディング窓が上記ローラーガイドレール上のローラーの上に安置されて設置された状態でドアガイドフレーム本体部から除去可能な長さを有するように形成されることが好ましく、延いては上記ポケットガイドセグメントの長さは上記スライディング窓の両側面に付着設置された上記垂直補強材の間の内部間隔より小さいように形成されることが好ましい。
【００２５】
また、このような構造を有する摺動建具システムの耐塵性（ホコリ流入防止性能）、水密性、及び気密性の向上のために、ポケットガイドに提供される上記ポケットガイドセグメントとスライディング窓の相互対向面にはモヘアまたは弾性ガスケットのような遮断部材が水平長手方向に設置されることが好ましいが、上記遮断部材に提供される弾性ガスケットは、スライディング窓に固定される固定端と、そしてポケットガイドに提供される上記ポケットガイドセグメントの開放面に接触して外側に弾性変形される弾性変形端を備えたものが使われることがより好ましい。
【００２６】
併せて、このような構造を有する摺動建具システムの建具開放性向上及び断熱性能向上のために、スライディング窓が閉じる場合に、上記スライディング窓を構成する上記垂直補強材が挿入隠蔽されるように上記ドアガイドフレームを形成する垂直ガイドフレームの内側に垂直補強材挿入チャンネルが提供され、上記垂直補強材挿入チャンネルが提供される垂直ガイドフレームの端部には上記垂直補強材との離隔間隔を封入遮断するように垂直方向の弾性ガスケットが提供されることが好ましい。
【００２７】
延いては、上記ポケットガイドセグメントが上記ドアガイドフレームの本体部に分離可能に設置されるドアガイドフレームの下部構造が建物の底面に埋め立てられて形成されることが好ましい。
【発明の効果】
【００２８】
本発明によれば、摺動建具システムを構成するスライディング窓を形成するガラスを支持する別途の４辺型ドアサッシュ無しでローラー部材の上に直接ガラスを上げて支持するようにすることができることで、スライディング窓の視野が縮小される現象を最小化する効果を提供しながら、ローラーにより支持されるガラスの両側面に拡大断面（ガラスより厚い厚さを有する断面）を有する垂直補強材を剛接合させることによって、ガラスの横方向撓み剛性を補完して高い耐風圧性を発揮するようにする効果を提供し、延いてはこのような垂直補強材を備えた状態のスライディング窓を一体にドアガイドフレーム内に設置施工できるようにして、工場直接生産を可能にし、そして設置施工の以後にも垂直補強材を備えて断面が拡大されたスライディング窓自体をドアガイドフレームから何らの干渉無しで分離可能にする効果を提供するようになる。
【００２９】
このような本発明に係る摺動建具システムは、水密性、気密性、及び断熱性能を向上させる効果も共に提供するようになる。
【００３０】
延いては、本発明は摺動建具の設置構造において、より広い視野確保のために窓枠の下部構造となるドアガイドフレームが建物の底面の下部に位置できるようにすることによって、建物の底面の上部にドアガイドフレーム及びローラーガイドレールが突出しない摺動建具の設置構造を提供できるようになる。
【図面の簡単な説明】
【００３１】
【図１】従来の一般的な摺動建具システムを示す図であって、ガラスを４辺で支持するドアサッシュを備えたスライディング窓を示している。
【図２】従来の一般的な摺動建具システムを示す図であって、ガラスを４辺で支持するドアサッシュを備えたスライディング窓を示している。
【図３】図１及び図２の一般的な摺動建具システムを改良したスライディング窓であって、ドアサッシュ無しでガラスをローラーの上部に直接安置して使用するスライディング窓の設置構造を示す図である。
【図４】図１及び図２の一般的な摺動建具システムを改良したスライディング窓であって、ドアサッシュ無しでガラスをローラーの上部に直接安置して使用するスライディング窓の設置構造を示す図である。
【図５】図１及び図２の一般的な摺動建具システムを改良したスライディング窓であって、ドアサッシュ無しでガラスをローラーの上部に直接安置して使用するスライディング窓の設置構造を示す図である。
【図６】図３から図５に図示された改良スライディング窓のガラス剛性の不足による耐風圧性の弱化の問題点を説明する模式図である。
【図７】図３から図５に図示された改良スライディング窓のガラス剛性の不足による耐風圧性の弱化の問題点を説明する模式図である。
【図８】上記の問題点を解決するためにスライディング窓を構成するガラスの両側面に垂直補強材を付着した状態を示す図である。
【図９】上記図８に図示された構造の改良スライディング窓で垂直補強材を付加するにつれて追加的に発生するスライディング窓の設置及び分離時に発生する問題点を説明するための模式図である。
【図１０】上記図８に図示された構造の改良スライディング窓で垂直補強材を付加するにつれて追加的に発生するスライディング窓の設置及び分離時に発生する問題点を説明するための模式図である。
【図１１】上記図８に図示された構造の改良スライディング窓で垂直補強材を付加するにつれて追加的に発生するスライディング窓の設置及び分離時に発生する問題点を説明するための模式図である。
【図１２】上記図８に図示された構造の改良スライディング窓で垂直補強材を付加するにつれて追加的に発生するスライディング窓の設置及び分離時に発生する問題点を説明するための模式図である。
【図１３】上記図８に図示された構造の改良スライディング窓で垂直補強材を付加するにつれて追加的に発生するスライディング窓の設置及び分離時に発生する問題点を説明するための模式図である。
【図１４】本発明に係る摺動建具設置構造を示す断面図である。
【図１５】本発明に係る摺動建具設置構造の好ましい一実施形態であって、一般的な中心軸型ローラーを使用した第１実施形態とその作動状態を示す断面図である。
【図１６】本発明に係る摺動建具設置構造の好ましい一実施形態であって、一般的な中心軸型ローラーを使用した第１実施形態とその作動状態を示す断面図である。
【図１７】本発明に係る摺動建具設置構造の好ましい一実施形態であって、一般的な中心軸型ローラーを使用した第１実施形態とその作動状態を示す断面図である。
【図１８】本発明に係る摺動建具設置構造の好ましい一実施形態であって、摺動建具用環状ローラー装置を使用した第２実施形態とその作動状態を示す図である。
【図１９】本発明に係る摺動建具設置構造の好ましい一実施形態であって、摺動建具用環状ローラー装置を使用した第２実施形態とその作動状態を示す図である。
【図２０】本発明に係る摺動建具設置構造の好ましい一実施形態であって、摺動建具用環状ローラー装置を使用した第２実施形態とその作動状態を示す図である。
【図２１】本発明に係る摺動建具設置構造の好ましい一実施形態であって、摺動建具用環状ローラー装置を使用した第２実施形態とその作動状態を示す図である。
【図２２】本発明に係る摺動建具設置構造におけるポケットガイドセグメントをドアガイドフレーム本体部から除去し、垂直補強材を備えたスライディング窓を窓枠から分離する作動過程を順次に示す平面図である。
【図２３】本発明に係る摺動建具設置構造におけるポケットガイドセグメントをドアガイドフレーム本体部から除去し、垂直補強材を備えたスライディング窓を窓枠から分離する作動過程を順次に示す平面図である。
【図２４】本発明に係る摺動建具設置構造におけるポケットガイドセグメントをドアガイドフレーム本体部から除去し、垂直補強材を備えたスライディング窓を窓枠から分離する作動過程を順次に示す平面図である。
【図２５】本発明に係る摺動建具設置構造におけるポケットガイドセグメントをドアガイドフレーム本体部から除去し、垂直補強材を備えたスライディング窓を窓枠から分離する作動過程を順次に示す平面図である。
【図２６】本発明に係る摺動建具設置構造におけるポケットガイドセグメントをドアガイドフレーム本体部から除去し、垂直補強材を備えたスライディング窓を窓枠から分離する作動過程を順次に示す平面図である。
【図２７】本発明に係る摺動建具設置構造におけるポケットガイドセグメントをドアガイドフレーム本体部から除去し、垂直補強材を備えたスライディング窓を窓枠から分離する作動過程を順次に示す平面図である。
【図２８】図２２から図２７に図示された実施形態とは異に分割されたポケットガイドセグメントを用いた実施形態の作動状態を示す平面図である。
【図２９】本発明に係る摺動建具設置構造における断熱性能向上のための追加の特徴的な構造とその効果を説明する平面図である。
【図３０】上記の特徴的な構造を除去した対照的な実施形態を示す平面図である。
【図３１】本発明に係る下部ポケットガイドの間の開口部の好ましい幅を説明する図である。
【図３２】本発明に係る好ましい実施形態であって、ローラーの支持ブラケットの上端部にガラス下端部支持係止段が提供された状態を示す図である。
【図３３】本発明に係る摺動建具設置構造をアルミニウム窓枠システムに適用した実施形態を示す斜視図である。
【図３４】本発明に係る摺動建具設置構造をアルミニウム窓枠システムに適用した実施形態を示す斜視図である。
【図３５】垂直補強材の内部にインサート形態に鋼鉄補強板が挿入された実施形態を示す図である。
【図３６】本発明に係るポケットガイドセグメントがドアガイドフレーム本体部に分離可能に設置されるドアガイドフレームの下部構造が建物に底面に埋め立てられる実施形態を説明する図である。
【図３７】本発明に係るポケットガイドセグメントがドアガイドフレーム本体部に分離可能に設置されるドアガイドフレームの下部構造が建物に底面に埋め立てられる実施形態を説明する図である。
【発明を実施するための形態】
【００３２】
以下、添付した図面を参考にして本発明の実施形態に対して本発明が属する技術分野で通常の知識を有する者が容易に実施できるように詳細に説明する。しかしながら、本発明は種々の相異する形態に具現されることができ、ここで説明する実施形態に限定されるものではない。
【００３３】
本発明は、前述したように、建具の開放性を高めるように改良されたスライディング窓のガラス剛性不足による耐風圧性の弱化の問題点と共に、スライディング窓の設置及び分離時に発生する問題点を同時に解決するためのものであって、図１４はこのような本発明に係る摺動建具設置構造の基本構造を示す断面図であり、そして図１５から図１７は本発明に係る摺動建具設置構造の好ましい一実施形態として提供される第１実施形態とその作動状態を示す断面図である。
【００３４】
図１５から図１７は本発明に係る摺動建具設置構造の好ましい一実施形態であって、一般的なローラーを使用した第１実施形態とその作動状態を示す断面図である。
【００３５】
図面を通じて例示される本発明の好ましい実施形態によれば、摺動建具システムを構成するスライディング窓４００の視野が縮小される現象が最小化するようにスライディング窓４００を形成するガラス４１０を支持する別途の４辺型ドアサッシュ無しでローラー４５０の上にガラス（例えば、ペアガラス）を分離可能な状態で安置して支持し、このようなスライディング窓４００のスライディング移動をガイドする窓枠部材に使われる上部及び下部のドアガイドフレーム１００に各々上部ポケットガイド１３０及び下部ポケットガイド１３０を形成してスライディング窓４００の上端部と下端部を建具の内外側両面（前面と背面／内面と外面）でガイドするようにすることで、スライディング窓４００の円滑な移動を支持する構造において、ローラー４５０により支持されるガラス４１０を含んでなるスライディング窓４００を構成するガラス４１０の両側面にガラス４１０の横方向撓み剛性を補完するための拡大断面（ガラスより厚い厚さを有する断面）を有する垂直補強材４２０を接合させ、そして、上記垂直補強材４２０を備えた状態のスライディング窓４００を一体にドアガイドフレーム１００の内に設置施工できるようにしながら垂直補強材４２０を備えた状態でスライディング窓４００をドアガイドフレーム１００から分離できるようにするために、スライディング窓４００が挿入される方向の開口部が上記垂直補強材４２０の断面厚さより広いサイズの開口部を有するドアガイドフレーム本体部１２０のベース面１２１の上に設置されたローラーガイドレール１１０の進行方向と平行に、上記垂直補強材４２０の端部で断面厚さが縮小されて形成される補強材狭段部４２０ａをスライディング窓４００の内外側両面（前面と背面／内面と外面）でガイド支持するポケットガイド１３０をドアガイドフレーム本体部１２０から分離可能に設置し、かつ上記ポケットガイド１３０はドアガイドフレーム本体部１２０から着脱可能なポケットガイドセグメント１３０（１３０（ａ）、１３０（ｂ）、または１３０（ｃ）→図２２から図２７参照）（なお、図中においては丸付アルファベットを用いて、１３０（ａ）、１３０（ｂ）および１３０（ｃ）示している）に形成され、そして上記ローラーガイドレール１１０の進行方向に沿ってスライディング窓４００の内外側両面で上記ポケットガイドセグメント１３０（１３０（ａ）、１３０（ｂ）、または１３０（ｃ））が相互分離可能に連続設置されることを特徴とする、分離着脱可能なセグメント構造のドアガイドフレームを含む摺動建具設置構造を提供する。
【００３６】
ここで、ポケットガイド１３０をドアガイドフレーム本体部１２０のベース面１２１に分離可能に設置するために、図１４に示すように、ローラーガイドレール１１０が中心部に提供される上記ベース面１２１の外側に上記ローラーガイドレール１１０の進行方向に沿って隔壁１２２を突出成形して、ドアガイドフレーム本体部１２０の外壁と上記隔壁１２２との間に上記ポケットガイド１３０が挿入設置できる収容部１２３が形成されるようにすることが好ましい。
【００３７】
そして、ポケットガイド１３０に提供される上記ポケットガイドセグメント１３０（１３０（ａ）、１３０（ｂ）、または１３０（ｃ））はドアガイドフレーム１００の上部構造と下部構造のうち、いずれか１つ以上の構造（図１４には下部構造のみに提供された状態が図示される）に提供されることが好ましく、そして図１５から図１７に示すように、ドアガイドフレーム１００の上部構造と下部構造の全てに提供される場合にはスライディング窓４００の設置及び分離作業方向の多様性が提供できる。
【００３８】
一方、図１５から図１７に図示された第１実施形態を図１４に図示された基本構造と比較して説明すると、両者に表れたポケットガイド１３０として提供されるポケットガイドセグメント１３０（１３０（ａ）、１３０（ｂ）、または１３０（ｃ））の形状と上記ポケットガイド１３０が挿入設置できる収容部１２３の形状は相互差があるように図示されているが、両者の機能的な原理は実質的に同一であり、但し第１実施形態が構造的な安定性をより向上させたものである。
【００３９】
このように、分離着脱可能なセグメント構造のドアガイドフレームを含む摺動建具設置構造によれば、図１６及び図１７に示すように、ドアガイドフレーム１００の上部構造と下部構造のうちの一側でのポケットガイド１３０に提供される上記ポケットガイドセグメント１３０（１３０（ａ）、１３０（ｂ）、または１３０（ｃ））をドアガイドフレーム１００から除去する場合には、垂直補強材４２０を備えたスライディング窓４００の場合にもドアガイドフレーム１００から容易に分離することができ、またこれと反対に垂直補強材４２０が工場などの生産過程を通じて一体化した状態でスライディング窓４００のドアガイドフレーム１００への組立設置が容易になり、併せて、図１５に示すように、スライディング窓４００の上部の補強材狭段部４２０ａの下端とドアガイドフレーム１００の上部に提供された上部ポケットガイド１３０の外側下端との間の離隔距離（ｅ’）と、そして、スライディング窓４０の下部の補強材狭段部４２０ａの上端とドアガイドフレーム１００の上部に提供された上部ポケットガイド１３０の外側上端との間の離隔距離（ｅ）を最小化させることができるようになることによって、耐風圧性と気密性を最大化させることができる構造が達成できる。
【００４０】
そして、図１８から図２１は、本発明に係る摺動建具設置構造の好ましい一実施形態として提供される第２実施形態とその作動状態を示す断面図である。このような図１８から図２１に図示された第２実施形態は、前述した一般的なローラー４５０に代わって摺動建具用に大きい重量の摺動建具を小さな規格でも円滑に支持移動するように特別に設計された環状ローラー装置５００を使用した実施形態である。
【００４１】
また、このような構造を有する摺動建具システムの耐塵性、水密性、及び気密性の向上のために、図１８及び図１９に示すように、ポケットガイド１３０に提供される上記ポケットガイドセグメント１３０（１３０（ａ）、１３０（ｂ）、または１３０（ｃ））とスライディング窓４００の相互対向面にはモヘア１３１または弾性ガスケット４３１のような遮断部材が水平長手方向に設置されることが好ましい。
【００４２】
ここで、上記遮断部材に提供される弾性ガスケット４３１は、図１８及び図１９に示すように、スライディング窓４００に固定される固定端と、そして、ポケットガイド１３０に提供される上記ポケットガイドセグメント１３０（１３０（ａ）、１３０（ｂ）、または１３０（ｃ））の開放面（図面上には、下部構造の場合の上部面／上部構造の場合、下部面）に接触して外側に弾性変形される弾性変形端を備えたことが使われることが雨水流入遮断の観点からより好ましいが、これとは異なり、図１８の下端に比較図示された比較例Ａの場合のように弾性ガスケット４３１の弾性変形端がポケットガイド１３０に提供される上記ポケットガイドセグメント１３０（１３０（ａ）、１３０（ｂ）、または１３０（ｃ））の内側閉鎖面に接触して内側に弾性変形される場合には弾性変形端がスライディング窓４００とポケットガイドセグメント１３０（１３０（ａ）、１３０（ｂ）、または１３０（ｃ））の間に挟まって、その摩擦力によってスライディング窓４００の円滑なスライディング移動を妨害し、また雨水の流入も効果的に遮断し難くなる。
【００４３】
一方、図１８及び図１９に示すように、弾性ガスケット４３１はペアガラスを形成するガラス４１０の下端部に結合されたガラス支持端４３０に設置されるようにすることが好ましい。
【００４４】
以下、上記第２実施形態に使われる環状ローラー装置５００の構成及び作用を図２０及び図２１を参照して説明する。
【００４５】
本発明の第２実施形態によれば、スライディング窓４００を下部で支持してローラーガイドレール１１０に沿ってスライディングさせるローラー部材として環状ローラー装置５００が図２０及び図２１に開示されているが、このような環状ローラー装置５００は、スライディング窓４００を構成するガラス４１０の下端部（図１８及び図１９の場合にはガラス支持端４３０）を収容できるように中央上部に支持ブラケットとして形成されるガラス安着部５１０、上記ガラス安着部５１０から両側下方に延長形成された隔壁を両側に延長して一体形成され、周りにレールの進行方向に沿って形成される案内レール５２５を備える荷重支持板５２０、レール進行方向に垂直に横方向に寝かせた円筒形に形成され、それぞれの円筒形部材の外周面にレール進行方向に沿って形成される案内溝５３２ａを含んでなる複数個のローリング部材５３２、及び上記複数個のローリング部材５３２がドア進行方向に沿って互いに設定間隔を置いて上記荷重支持板５２０の表面に輪型に均等に配置されるように上記複数個のローリング部材５３２を互いに連結させるチェーンリンクユニット５３４を含んでなるものであって、上記ガラス安着部５１０の両側の上記荷重支持板５２０の上部面と下部面、及びこれらを連結するようにレール進行方向側に形成される両端の円弧面の周りに巻かれて提供される環状ローリングユニット５３０を含んでなる。
【００４６】
ここで、ガラス安着部５１０の両側に形成された荷重支持板５２０は平板形状であって、環状ローリングユニット５３０の回転軸の役割を遂行しながらスライディング窓４００の荷重を両側で均等に支持し、複数個のローリング部材５３２が荷重支持板５２０の両端で円滑に回転できるように荷重支持板５２０の両端は円弧面に形成されることが好ましい。このような荷重支持板５２０が一般的なローラー装置（図５参照）とは異なり、中心孔が形成される円筒形状でなく、平板形状を有することによって広い面積を通じて荷重伝達及び荷重支持の役割を提供するので、ローラー装置の全体の高さを格段に減らすことができる。窮極的に、設置空間の高さが低い場合にも設置が可能である。
【００４７】
そして、図２０及び図２１に図示された構成を有する環状ローリングユニット５３０は、荷重支持板５２０を軸にして回転されるようにガラス安着部５１０の両側の荷重支持板５２０に巻かれる。具体的に、環状ローリングユニット５３０は複数個のローリング部材５３２と、そして、複数個のローリング部材５３２が互いに設定間隔を置いて荷重支持板５２０の表面、即ち上部面、下部面、及び両端の円弧面に均等に配置されるように複数個のローリング部材５３２を互いに連結させるリンクユニット５３４を含む。これによって、ローリング部材５３２の数及びリンクユニット５３４の長さなどを調節して荷重支持板５２０の長さに合うように環状ローリングユニット５３０の長さを調節することができる。延いては、ベアリング部の線接触面にスライディング窓４００の荷重が完全に集中する構成を有する一般的なローラー装置とは異なり、本発明では複数個のローリング部材５３２がスライディング窓４００の荷重を均等に分散させながら支持するようになるので、従来に比べて大きい荷重のスライディング窓４００を支持することができる。また、複数個のローリング部材５３２の各々は自己潤滑素材からなることができる。自己潤滑素材を使用する場合、オイルのような潤滑材を別途に使用しなくてもよいので、費用を減らすことができるだけでなく、周辺を清潔に維持することができる。
【００４８】
一方、図２１を参照して環状ローリングユニット５３０と荷重支持板５２０が互いに組み立てられる過程を説明すると、環状ローリングユニット５３０の該当外部リンク部材５３４を分離した後、荷重支持板５２０の案内レール５２５と複数個のローリング部材５３２の案内溝５３２ａとが互いに相応するように環状ローリングユニット５３０を荷重支持板１２０に巻き取り、そして該当外部リンク部材５３４を締結すれば、環状ローリングユニット５３０の組立が完了する。
【００４９】
このように組み立てられた環状ローリングユニット５３０の場合には、複数個のローリング部材５３２の案内溝５３２ａは荷重支持板５２０の案内レール５２５と互いに相応するように噛み合いながら、また図２０の下端に拡大図示したようにドアガイドフレーム１００の下部構造でのドアガイドフレーム本体部１２０のベース面１２１の上に設置されたローラーガイドレール１１０の案内突起１１１とも互いに相応するように噛み合いながら、環状ローリングユニット５３０が荷重支持板５２０の周囲を回転しながらスライディング窓４００の直進性を維持した円滑なスライディング移動が可能になる。
【００５０】
このような環状ローラー装置５００により、荷重支持板５２０が左右に傾いても環状ローリングユニット５３０が片方向に傾く現象（即ち、スライディング窓の円滑な直進を妨害する現象）を未然に防止することができ、環状ローリングユニット５３０が回転する間に発生できる荷重支持板５２０の左側または右側に環状ローリングユニット５３０が滑る現象を未然に防止することができる。したがって、外部リンク部材５３４が上記ドアガイドフレーム１００と摩擦することを未然に防止することによって、外部リンク部材５３４の磨損により環状ローリングユニット５３０が切れる問題を未然に防止することができる。
【００５１】
以上、説明された実施形態に係る摺動建具システムの場合に、ポケットガイド１３０に提供される上記ポケットガイドセグメント１３０（１３０（ａ）、１３０（ｂ）、または１３０（ｃ））をスライディング窓４００との干渉無しでドアガイドフレーム１００の本体部１２０から容易に脱去される構成及びその作動過程を以下に説明する。
【００５２】
まず、図２２から図３０に示すように、スライディング窓４００の内外側にポケットガイド１３０に提供される上記ポケットガイドセグメント１３０（１３０（ａ）、１３０（ｂ）、または１３０（ｃ））は、上記ローラーガイドレール１１０の全長で２つ以上のセグメントに分割形成され、最小１つ以上のセグメントはスライディング窓４００が上記ローラーガイドレール１１０の上のローラー４５０の上に安置されて設置された状態でドアガイドフレーム本体部１２０から除去可能な長さを有するように形成されることが好ましく、延いては、上記ポケットガイドセグメント１３０（１３０（ａ）、１３０（ｂ）、または１３０（ｃ））の長さは上記スライディング窓４００の両側面に付着設置された上記垂直補強材４２０の間の内部間隔より小さく形成されることが好ましい。
【００５３】
以下、図２２から図２７を参照してスライディング窓４００の内外側にローラーガイドレール１１０の全長に沿ってポケットガイド１３０が３個のポケットガイドセグメント（１３０（ａ）、１３０（ｂ）、１３０（ｃ））に分割設置される、例えば本発明の作動状態を説明する。
【００５４】
まず、図２２に示すように、スライディング窓４００が閉じた状態にある場合には、ポケットガイド１３０に提供されるポケットガイドセグメント（１３０（ａ）及び１３０（ｂ））とスライディング窓４００の干渉のため、スライディング窓４００をドアガイドフレーム１００から容易に分離できない状態になるが、図２３に示すように、スライディング窓４００が位置しない位置のポケットガイドセグメント（１３０（ｃ））はドアガイドフレーム１００の本体部１２０から脱去できるようになる。そして、図２４に示すように、スライディング窓４００が中間位置のポケットガイドセグメント（１３０（ｂ））に位置するようにスライディング窓４００を一部開放する方向にスライディング移動させるようになれば、上記ポケットガイドセグメント（１３０（ｂ））はその長さがスライディング窓４００を構成する両側面の垂直補強材４２０の間の間隔より短いため、図２５に示すように、中間位置のポケットガイドセグメント（１３０（ｂ））もスライディング窓４００との干渉無しでドアガイドフレーム１００の本体部１２０から脱去できるようになる。このように、２つのポケットガイドセグメント（１３０（ｃ）及び１３０（ｂ））がドアガイドフレーム１００の本体部１２０から脱去された図２６に図示された状態では、先の図１６、図１７、及び図１９を通じて説明したように、スライディング窓４００をドアガイドフレーム１００の本体部１２０による干渉無しでドアガイドフレーム１００から分離できるようになるところ、このように、スライディング窓４００が分離された状態は図２７に図示されている。
【００５５】
一方、図２２から図２７への進行順序では、スライディング窓４００をドアガイドフレーム１００から分離する段階の進行状況が説明されることができ、これと反対に、図２７から図２２への進行順序では、スライディング窓４００をドアガイドフレーム１００に設置する段階の進行状況が説明できる。
【００５６】
以上、説明した実施形態は、スライディング窓４００の内外側にローラーガイドレール１１０の全長に沿ってポケットガイド１３０が３個のポケットガイドセグメント（１３０（ａ）、１３０（ｂ）、１３０（ｃ））に分割設置される場合を例示したものであるが、これとは異なり、図２８に示すように、図面符号２００で表した窓がその前方のスライディング窓４００より大きい幅を有する固定窓の場合として仮定し、前方のスライディング窓４００を分離及び設置観点から説明すると、ポケットガイド１３０を２つの互いに異なる長さのポケットガイドセグメント（１３０（ａ）及び１３０（ｂ））に分割設置することによって、本発明を具現できることが分かる。即ち、この場合にはスライディング窓４００の全幅より大きいポケットガイドセグメント（１３０（ｂ））をドアガイドフレーム１００から脱去できるようになって、スライディング窓４００をドアガイドフレーム１００から分離するか、またはドアガイドフレーム１００に設置する作業が何らの困難性無しで進行できる。
【００５７】
また、本発明の技術的課題のうち、建具開放性向上と断熱性能向上の観点での追加的な実施形態を図２９及び図３０を参照して説明するが、図２９は本発明に係る摺動建具設置構造における断熱性能向上のための追加の特徴的な構造とその効果を説明する平面図であり、図３０はこのような特徴的な構造を除去した対照的な実施形態を示す平面図である。
【００５８】
まず、図３０に図示された対照的な実施形態の場合を先に説明すると、スライディング窓４００が閉じた場合に上記スライディング窓４００を構成する上記垂直補強材４２０が窓枠を構成する上記ドアガイドフレーム１００を形成する垂直ガイドフレーム１０１の内側に入り込まず、外部に露出する構造を有することによって、垂直補強材４２０により建具の完全開放性が視野的に妨害を受けるようになり、断熱性能が低下する短所がある。
【００５９】
これとは異なり、本発明の好ましい追加の実施形態では、スライディング窓４００が閉じた場合に、上記スライディング窓４００を構成する上記垂直補強材４２０が窓枠を構成する上記ドアガイドフレーム１００を形成する垂直ガイドフレーム１０１の内側に挿入隠蔽されるように、図２９に示すように、上記ドアガイドフレーム１００を形成する垂直ガイドフレーム１０１の内側に垂直補強材挿入チャンネル１０１ａが提供され、上記垂直補強材挿入チャンネル１０１ａが提供される垂直ガイドフレーム１０１の端部には上記垂直補強材４２０との離隔間隔を封入遮断するように垂直方向の弾性ガスケット１０１ｓが提供されることが好ましい。このような構造によれば、垂直補強材４２０が隠蔽されて建具の完全開放性が妨害を受けないようになりながらも断熱性能が向上する長所を有するようになる。
【００６０】
但し、摺動建具システムを構成する時、平面上の位置、スライディング窓の閉じ方向、スライディング窓と窓枠の規格などの設計要件によって、上記垂直ガイドフレーム１０１の内側に垂直補強材挿入チャンネル１０１ａは開放されるようにすることができ、または別途に製作されて垂直補強材挿入チャンネル１０１ａの内部に垂直方向に嵌合組立されて設置される遮断ブロック１５０により一部の垂直補強材挿入チャンネル１０１ａは予め閉鎖されるように選択することができる。
【００６１】
一方、本発明に係る下部ポケットガイド１３０の場合にも、建具内外側にドアガイドフレーム本体部１２０から着脱可能に設置される下部ポケットガイド１３０の間の開口部の幅（Ｂ２）は垂直補強材４２０を備えたガラス４１０の下端部とローラー４５０の転倒が発生してもガラス４１０の下端部の底面とローラー４５０の上端部の上面とが接触して支持する地点（図３１の図面符号‘ｋ１’）が下部のローラーガイドレール１１０の垂直中心線（Ｃ．Ｌ．）を超えないように、その範囲が設定されなければならない。
【００６２】
一方、図３１に図示されたガラス４１０の下端部の底面とローラー４５０の上端部の上面とが接触して支持する地点（図３１の図面符号‘ｋ１’）自体がローラー４５０の上端部の上面で滑る現象が発生する場合を仮定することができるが、もし、このような現象が発生すれば、前述した下部ポケットガイド１３０の開口部の幅（Ｂ２）に対する制御だけでは満足な転倒防止効果を期待できないので、図３２に示すように、ガラス４１０の下端部の底面とローラー４５０の上端部の上面とが接触して支持する地点（図３２の図面符号‘ｋ２’）の滑り防止のためにローラー４５０の支持ブラケット４５１の上端部にガラス下端部支持係止段４５１ａを提供することが好ましい。このようなガラス下端部支持係止段４５１ａは、図１６及び図１７に図示された第１実施形態でも示されており、そして、図１８から図２１に図示された環状ローラー装置５００を使用した第２実施形態では、上記支持ブラケット４５１と同一な目的として提供されるガラス安着部５１０にガラス下端部支持係止段５１０ａが提供できる。
【００６３】
一方、今まで説明した本発明に係る摺動建具設置構造を提供する素材は、ＰＶＣのような合成樹脂材で作られることもでき、またはアルミニウム素材で作られることもできるが、特にアルミニウム素材の場合には、図３３（図２７のＢ−Ｂ’切断線位置の斜視図）及び図３４に図示されたところ、上記ドアガイドフレーム１００の本体部１２０を建具内外側に分割形成し、中間に熱橋遮断材１２０ｍを配置する構造を採択することがより有利であり、そして、上記ポケットガイド１３０も上記ドアガイドフレーム本体部１２０の熱橋遮断材１２０ｍと接触する領域１３０ｍは残りのキャップ領域１０３ｃと分離して熱橋遮断素材で形成することが好ましい。
【００６４】
また、ドアガイドフレーム１００のベース面１２１にはローラーの規格と形式（図３３の一般的なローラー４５０または図３４の環状ローラー装置５００）に合せて製作されたローラーガイドレール１１０を取り替えて挿入設置することができるレール設置溝１１０ａを形成することが好ましい。
【００６５】
また、本発明に係る摺動建具設置構造を提供する素材としてＰＶＣなどの合成樹脂またはアルミニウムが使われる場合に、建具が大型化される場合には、材質上の剛性限界によって垂直補強材４２０の厚さがあまり厚くなる問題点が発生するため、断面サイズに対比して高い撓み剛性を提供してその問題点を緩和するために、図３５に示すように、垂直補強材４２０の内部にインサート形態に鋼鉄補強板４２２が挿入設置されることもできる。
【００６６】
一方、本発明の更に他の観点から提供される好ましい実施形態であって、建具設置構造物の底面の内部に埋立てできるドアガイドフレーム１００を備えた摺動建具システムを用いた摺動建具設置構造であって、上記ポケットガイドセグメントに分割設置される着脱式のポケットガイド１３０を備えたドアガイドフレーム１００が建築物の底面６００に埋込設置される摺動建具設置構造が図３６及び図３７に示すように提供できるが、このような構造によれば、図３６に示すように、摺動建具の視野開放度が増加するだけでなく、図３７に示すように、窓枠の上部構造をなすポケットガイド１３０をドアガイドフレーム１００から分離し、スライディング窓４００をドアガイドフレーム１００から分離除去した状態（または、開放された状態）でドアガイドフレーム１００が底面の上部に突出しない構造を有するので、大型トラックの輪のようなものもドアガイドフレーム１００の干渉無しで建具を通過できるようになる効果を提供する。ここで、ドアガイドフレーム１００のポケットガイド１３０のみの剛性で通過荷重が支えられ難い場合には、図３７に示すように、建築物の底面６００とポケットガイド１３０を共に覆う別途のカバープレート７００が設置されることもできる。
【００６７】
以上、説明したように、本発明が適用されるスライディング窓４００の本発明の好ましい実施形態を図示した図面において、２枚のガラス４１０を一定間隔離隔させて重なって形成し、かつ間隙部の真空を具現するようにシーリング部材で接合して形成されるペアガラスを備えた建具に対して詳細に説明したが、本発明の権利範囲はこれに限定されず、多様な類型の摺動建具（門または窓）に適用される場合を含み、次の請求範囲で定義している本発明の基本概念を用いた当業者の種々の変形及び改良形態も本発明の権利範囲に属するものである。
【図１】
2015516036.tif 000003
【図２】
2015516036.tif 000004
【図３】
2015516036.tif 000005
【図４】
2015516036.tif 000006
【図５】
2015516036.tif 000007
【図６】
2015516036.tif 000008
【図７】
2015516036.tif 000009
【図８】
2015516036.tif 000010
【図９】
2015516036.tif 000011
【図１０】
2015516036.tif 000012
【図１１】
2015516036.tif 000013
【図１２】
2015516036.tif 000014
【図１３】
2015516036.tif 000015
【図１４】
2015516036.tif 000016
【図１５】
2015516036.tif 000017
【図１６】
2015516036.tif 000018
【図１７】
2015516036.tif 000019
【図１８】
2015516036.tif 000020
【図１９】
2015516036.tif 000021
【図２０】
2015516036.tif 000022
【図２１】
2015516036.tif 000023
【図２２】
2015516036.tif 000024
【図２３】
2015516036.tif 000025
【図２４】
2015516036.tif 000026
【図２５】
2015516036.tif 000027
【図２６】
2015516036.tif 000028
【図２７】
2015516036.tif 000029
【図２８】
2015516036.tif 000030
【図２９】
2015516036.tif 000031
【図３０】
2015516036.tif 000032
【図３１】
2015516036.tif 000033
【図３２】
2015516036.tif 000034
【図３３】
2015516036.tif 000035
【図３４】
2015516036.tif 000036
【図３５】
2015516036.tif 000037
【図３６】
2015516036.tif 000038
【図３７】
2015516036.tif 000039
【国際調査報告】
2015516036.tif 000040
2015516036.tif 000041
2015516036.tif 000042
2015516036.tif 000043